【事件の表示】
　特許第３３１３３３７号「低反射タッチパネル」の請求項１に係る特許に対する特許異議の申立てについて、次のとおり決定する。
【結　論】
　訂正を認める。
　特許第３３１３３３７号の請求項１に係る特許を維持する。
【理　由】
１．手続の経緯
　本件特許第３３１３３３７号は、平成１１年５月１３日に特許出願され、平成１４年５月３１日に特許権の設定登録がなされたが、足立泰守より特許異議の申立てがなされ、取消理由が通知され、その指定期間内である平成１５年６月１７日に訂正請求がなされたものである。
　
２．訂正の適否についての判断
（１）訂正事項
　特許権者の請求する訂正の内容は、明細書の特許請求の範囲の
「【請求項１】液晶ディスプレイ側から順に第１の１／４波長板、スペーサーを介して対向する２層の透明導電膜、第２の１／４波長板、偏光板を少なくとも配置してなる、円偏光タイプの反射防止フィルターを有するタッチパネルであって、液晶ディスプレイ表面と空気層を介して対向させる最下面である一軸延伸された樹脂のみからなる第１の１／４波長板に低反射処理が直接施されていることを特徴とする低反射タッチパネル。」との記載を
「【請求項１】液晶ディスプレイ側から順に第１の１／４波長板、スペーサーを介して対向する２層の透明導電膜、第２の１／４波長板、偏光板を少なくとも配置してなる、円偏光タイプの反射防止フィルターを有するタッチパネルにおいて、第１の１／４波長板が透明導電膜との間に光学等方性の透明板を介在させて配置された一軸延伸された樹脂のみからなるものであって、該第１の１／４波長板の液晶ディスプレイ表面と空気層を介して対向する最下面に低反射材料を塗布する低反射処理が直接施されていることを特徴とする低反射タッチパネル。」と訂正すると共に、この訂正に整合させるべく、発明の詳細な説明の段落【０００７】、【００１２】、【００１３】、【００１５】及び【００１９】を訂正するものである。
　
（２）訂正の目的の適否、新規事項の有無及び拡張・変更の存否
　上記訂正は、特許請求の範囲に記載された「第１の１／４波長板」について、その透明導電膜との間の積層状態及びその液晶デイスプレイ表面と対向する面に施す低反射処理の種類を限定したものであり、特許請求の範囲の減縮を目的とするものである。
　また、上記訂正は、特許査定時の明細書の段落【００１３】及び【００１５】の
「【００１３】…本発明においては、第１の１／４波長板４および第２の１／４波長板７のそれぞれに透明導電膜５を直接形成してもよいし（図１参照）、第１の１／４波長板４および第２の１／４波長板７の一方又は両方と透明導電膜５との間に光学等方性のガラス板や光学等方性の樹脂フィルム、光学等方性の樹脂板等の光学等方性の透明板を介在させていてもよい。…」、
「【００１５】…低反射処理としては、フッ素樹脂やシリコン樹脂等を用いた低反射材料を塗布したり、金属の多層膜を真空蒸着法やスパッタリング法等が挙げられる。…」との記載に基づくものであって、願書に添付された明細書又は図面に記載された事項の範囲内の訂正であり、また、実質上特許請求の範囲を拡張し又は変更するものでもない。
　
（３）むすび
　以上のとおりであるから、上記訂正は、特許法第１２０条の４第２項の規定並びに同条第３項で準用する特許法第１２６条第２項及び第３項の規定に適合するので、当該訂正を認める。
　
３．特許異議の申立てについての判断
（１）理由の概要
　申立人は、甲第１号証：特開平１０−４８６２５号公報、甲第２号証：特開平８−２３４１６２号公報、甲第３号証：特表平２−５０３６１１号公報、甲第４号証：特開平４−２８００１４号公報、甲第５号証：特開平７−２０６９３５号公報及び甲第６号証：特開平１１−１１５０８６号公報を提出して、本件請求項１に係る発明は、甲第１号証に記載の発明に甲２、３号証あるいは４号証に記載の構成を適用することにより当業者が容易に発明できたものであり、特許法第２９条第２項の規定により特許を受けることができないものであるから、この特許を取り消すべきと主張している。
　
（２）本件発明
　本件訂正明細書の特許請求の範囲に記載される発明（以下、「本件発明」という。）は、次のとおりである。
「液晶ディスプレイ側から順に第１の１／４波長板、スペーサーを介して対向する２層の透明導電膜、第２の１／４波長板、偏光板を少なくとも配置してなる、円偏光タイプの反射防止フィルターを有するタッチパネルにおいて、第１の１／４波長板が透明導電膜との間に光学等方性の透明板を介在させて配置された一軸延伸された樹脂のみからなるものであって、該第１の１／４波長板の液晶ディスプレイ表面と空気層を介して対向する最下面に低反射材料を塗布する低反射処理が直接施されていることを特徴とする低反射タッチパネル。」
　
（３）甲号証に記載された発明
　甲第１号証（特開平１０−４８６２５号公報）には、液晶ディスプレス用タッチパネルが記載され、このタッチパネルは、液晶ディスプレイ７側から順に、第１の１／４波長板４、ガラス１、スペーサ３を介して対向する２枚の透明導電膜２、第２の１／４波長板５、偏光板６を配置したものであることが記載されている（請求項１、段落【０００６】〜【００１２】、図２）。
　甲第２号証（特開平８−２３４１６２号公報）には、タッチパネル一体型液晶表示装置が記載され、【従来の技術】の欄には、タッチパネルと液晶表示パネルとの間に空気層を設けて積層することは一般的であることが記載され（段落【０００３】）、さらに、このように空気層を設けた場合、空気層での光の屈折率が、ディスプレイと対向する電極基材での屈折率よりも著しく低いため、光の減衰が生じてしまい、コントラストが著しく低下してしまうという問題を生ずることが記載されている（段落【０００５】）。
　甲第３号証（特表平２−５０３６１１号公報）には、タッチパネルが記載されており、図１に示されるように、ディスプレイ側に配置される内側シート１２のディスプレイ１６と対向する面に、反射防止層３３が直接設けられていることが記載され（第１０頁左上欄第１８行目〜同頁右上欄第４行、図１）、また、上記内側シート１２のディスプレイ１６と対向する面では外光が反射されることが記載され（図７のＮ４）、この面に上記反射防止層３３を設けることにより反射が低減されることが記載されている（表２のＲ４の項）。
　甲第４号証（特開平４−２８００１４号公報）には、透明タッチパネルが記載され、図２に示されるように、タッチパネルにおける固定電極板７の裏面、つまりタッチパネルの最下面には、フッ素樹脂をコーテイングした低反射層８が直接形成されることが記載されている（段落【００１１】【００１５】、図２）。
　甲第５号証（特開平７−２０６９３５号公報）には、光学用樹脂板が記載され、この光学用樹脂板は、一軸延伸法により延伸され、タッチパネルの１／４波長板に適用できることが記載されている（段落【００２７】〜【００３０】）。
　甲第６号証（特開平１１−１１５０８６号公報）には、１／４波長板がフィルムを一軸延伸することで形成されることが記載されている（段落【０００５】第１文）。
　
（４）対比
　本件発明と甲第１号証に記載された発明を比較するに、後者の「液晶ディスプレイ７」、「第１の１／４波長板４」、「ガラス１」、「スペーサ３を介して対向する２枚の透明導電膜２」、「第２の１／４波長板５」及び「偏光板６」がそれぞれ、本件発明の「液晶ディスプレイ」、「第１の１／４波長板」、「光学等方性の透明板」、「スペーサーを介して対向する２層の透明導電膜」、「第２の１／４波長板」及び「偏光板」に相当し、両者は、ともに「液晶ディスプレイ側から順に第１の１／４波長板、光学等方性の透明板、スペーサーを介して対向する２層の透明導電膜、第２の１／４波長板、偏光板を少なくとも配置してなる円偏光タイプの反射防止フィルターを有するタッチパネル。」の発明である点で一致する。
　ここで、甲第１号証には、第１の１／４波長板が一軸延伸された樹脂のみからなる点及び当該第１の１／４波長板が液晶ディスプレイ表面と空気層を介して対向している点について明記されてはいないが、これらは、甲第５、６号証及び甲第２号証の記載を参照すれば、本件発明との格別の相違とはいえない。
　一方、本件発明では、第１の１／４波長板の液晶ディスプレイ表面と空気層を介して対向する面に低反射材料を塗布する低反射処理が直接施されているのに対し、甲第１号証のものでは、このような低反射処理が施されていない点で相違する。
　
（５）相違点についての検討
　この相違点について、申立人は、甲第１号証の第１の１／４波長板の液晶ディスプレイ表面と対向する面に甲第３号証に記載された反射防止層３３を適用することにより、当業者が容易に発明できた旨の主張をしているが、甲第３号証の反射防止層３３は、電気的に接地されることによりメンブランスイッチを通る電磁波及び無線周波妨害に対するシールドを行う導電コーテイングとして設けられるものであって（１２頁左上欄第１７〜２０行）、「飛散法及び真空蒸着法により施される」（第９頁右下欄第１行、第１０頁右上欄第１〜２行）ものであるから、この技術を適用しても本件発明の低反射材料を塗布する低反射処理にはならず、申立人のこの主張は採用できない。
　また、申立人は、この相違点について、甲第１号証の第１の１／４波長板の液晶ディスプレイ表面と対向する面に甲第４号証に記載されたフッ素樹脂コーテイングの低反射層８を適用することにより、当業者が容易に発明できた旨の主張をしているが、甲第４号証には、低反射層について「【００１５】なお、この発明は以上の実施例に限定されるものではない。低反射層８は支持基板１１の裏面以外に形成されていてもよく、また２層以上形成されるように構成してもよい。たとえば、低反射層８は支持基板１１の上面に形成されていてもよい。また、低反射層８は固定電極側フィルム９の上面に形成されていてもよい。また、低反射層８は可動電極３の上面に形成されていてもよい。」と記載されているように、低反射層８は、支持基板１１の裏面、すなわち、液晶ディスプレイ表面と対向する面以外に形成されていてもよいものである。
　一方、本件発明の低反射処理層は、本件特許明細書の段落【０００５】に「【発明が解決しようとする課題】しかし、タッチパネルと液晶ディスプレイ２との間に空気層９が形成されていることにより、タッチパネルの最下面と空気層９との界面において外部からの光の反射が発生するという問題がある。しかも、このとき、前記第２の１／４波長板７および偏光板８で形成される反射防止フィルターとタッチパネルの最下面との間に第１の１／４波長板４が存在するため、反射防止フィルターによって反射光をカットすることはできない。」と記載されているように、円偏光タイプの反射防止フィルターを有するタッチパネルにおいて、第１の１／４波長板を設けたことにより、タッチパネルの最下面と空気層との界面で反射された光をカットすることができなくなるという問題を解決するために設けられたものであって、第１の１／４波長板の液晶ディスプレイ表面と対向する面に本件発明の低反射処理層を施すことには格別の技術的意味が認められるから、甲第４号証に低反射材料を塗布する低反射処理が記載されているからといって、本件発明を当業者が容易に発明できたということはできず、この点についての申立人の主張も採用できない。
　
４．むすび
　以上のとおりであって、特許異議申立ての理由及び証拠によっては、本件請求項１に係る発明の特許を取り消すことはできない。
　よって、結論のとおり決定する。
【異議決定日】
平成１５年７月１６日（２００３．７．１６）
【訂正の要旨】
審決（決定）の【理由】欄参照。
（５４）【発明の名称】
低反射タッチパネル
（５７）【特許請求の範囲】
　【請求項１】　液晶ディスプレイ側から順に第１の１／４波長板、スペーサーを介して対向する２層の透明導電膜、第２の１／４波長板、偏光板を少なくとも配置してなる、円偏光タイプの反射防止フィルターを有するタッチパネル
において、第１の１／４波長板が透明導電膜との間に光学等方性の透明板を介在させて配置された一軸延伸された樹脂のみからなるものであって、該第１の１／４波長板の液晶ディスプレイ表面と空気層を介して対向する最下面に低反射材料を塗布する
【発明の詳細な説明】
　【０００１】
　【発明の属する技術分野】
　本発明は、タッチパネルの最下面と空気層との界面での反射が抑えられ、視認性に優れた低反射タッチパネルに関するものである。
　【０００２】
　【従来の技術】
　ワードプロセッサ、ノート型パソコン、ＰＤＡ（パーソナル・デジタル・アシスタント）等の製品に広く用いられる液晶ディスプレイについて、その前面にタッチパネルを配置することが従来から行われている。タッチパネルは、透明導電膜を形成した２枚の透明板を透明導電膜どうしがスペーサーを介して対向するように配置させた構造となっており、スペーサーによって絶縁されていた両透明導電膜をパネル表面の一部を押圧することにより接触させて電気的に導通させ入力できるようにしたものである。しかし、上記タッチパネルは、入力作業を蛍光灯などのある部屋や屋外において行うとき、透明導電膜面で外部からの光の反射があるため、表示画面が非常に見にくいものであった。
　【０００３】
　そこで、このような問題を解消するため、特開平１０−４８６２５号公報には、液晶ディスプレイ２側から順に第１の１／４波長板３、スペーサーを介して対向する２層の透明導電膜５、第２の１／４波長板７、偏光板８を少なくとも配置したタッチパネルが提案されている（図２参照）。第２の１／４波長板７と偏光板８とで円偏光タイプの反射防止フィルターを形成させ、外部から入射した光の透明導電膜５での反射を効率よくカットするのである。また、第２の１／４波長板７の一枚だけであると液晶ディスプレイ２側から表示用として入射する直線偏光２も円偏光に変えてしまうため、第２の１／４波長板７と光軸が直交する第１の１／４波長板４を２層の透明導電膜５と液晶ディスプレイ２との間に配置することによって位相を打ち消させている。つまり、第１の１／４波長板４で円偏光にされた後、第２の１／４波長板７で再び元の直線偏光に戻される。
　【０００４】
　なお、上記タッチパネルと液晶ディスプレイ２とは、通常、表示領域外において両面粘着テープ等によって接着するなどして両者間に空気層９が形成されている。タッチパネルと液晶ディスプレイ２との密着により液晶ディスプレイ２の液晶の厚みが入力箇所において圧縮され、表示画像に滲みや歪みが発生するのを防ぐためである。
　【０００５】
　【発明が解決しようとする課題】
　しかし、タッチパネルと液晶ディスプレイ２との間に空気層９が形成されていることにより、タッチパネルの最下面と空気層９との界面において外部からの光の反射が発生するという問題がある。しかも、このとき、前記第２の１／４波長板７および偏光板８で形成される反射防止フィルターとタッチパネルの最下面との間に第１の１／４波長板４が存在するため、反射防止フィルターによって反射光をカットすることはできない。
　【０００６】
　したがって、本発明の目的は、上記の問題を解決することにあって、タッチパネルの最下面と空気層との界面での反射が抑えられ、視認性に優れた低反射タッチパネルを提供することである。
　【０００７】
　【課題を解決するための手段】
　上記の目的を達成するために、本発明の低反射タッチパネルは、液晶ディスプレイ側から順に第１の１／４波長板、スペーサーを介して対向する２層の透明導電膜、第２の１／４波長板、偏光板を少なくとも配置してなる、円偏光タイプの反射防止フィルターを有するタッチパネル
において、第１の１／４波長板が透明導電膜との間に光学等方性の透明板を介在させて配置された一軸延伸された樹脂のみからなるものであって、該第１の１／４波長板の液晶ディスプレイ表面と空気層を介して対向する最下面に低反射材料を塗布する
　【０００８】
　【発明の実施の形態】
　以下、図面を参照しながら本発明について詳細に説明する。図１は本発明に係る低反射タッチパネルを液晶ディスプレイ前面に配置した例を示す断面図である。図中、１は低反射タッチパネル、２は液晶ディスプレイ、３は低反射処理層、４は第１の１／４波長板、５は透明導電膜、６はスペーサー、７は第２の１／４波長板、８は偏光板、９は空気層、１０は両面粘着テープをそれぞれ示す。
　【０００９】
　第１の１／４波長板４および第２の１／４波長板７は、直線偏光を分解した互いに直交する２成分の偏光に時間的な位相のズレ（位相差）を与えることにより、直線偏光を円偏光あるいは略円偏光に変える機能を持つものであり、一方の偏光成分を他方の偏光成分より１／４波長だけ位相を遅らせる。この１／４波長とは、可視光領域（約４００ｎｍ〜７００ｎｍ）の中心波長（約５５０ｎｍ）に対するものである。第１の１／４波長板４および第２の１／４波長板７としては、ポリカーボネート、ポリアリレート、ポリエーテルスルホン、ポリスルホン、ノルボルネン系樹脂等の透明板またはフィルムを一軸延伸し、その延伸方向（光軸方向）であるｘ方向の屈折率と、ｘ方向に直交するｙ方向の屈折率と、厚さ方向すなわちｘ方向とｙ方向に直交するｚ方向の屈折率とを制御することによって与えたものが用いられる。
　【００１０】
　第２の１／４波長板７は、その前面の偏光板８と組み合わせて、円偏光タイプの反射防止フィルターを形成している。屋内の蛍光灯や屋外の光等の外部からの光は偏光板８を通り直線偏光となり、第２の１／４波長板７を透過することによって円偏光となるが、透明導電膜５で反射しても、円偏光が再び第２の１／４波長板７を通過して偏光板８の透過軸と垂直な直線偏光になるため、反射光が抑えられる。なお、第２の１／４波長板７は、ペンや指による入力を容易にするために可撓性を備えているものが用いられる。
　【００１１】
　第１の１／４波長板４と第２の１／４波長板７は、光軸どうしが直交するように配置するのが好ましい。このように配置することによって、液晶ディスプレイ２側から表示用として第１の１／４波長板４に入射した直線偏光は、第１の１／４波長板４を透過することによって円偏光となるが、第２の１／４波長板７を透過することにより再び直線偏光に戻り、そのまま偏光板８を通り表示を行なう。
　【００１２】
　第２の１／４波長板７の前面に配置される偏光板８は、第２の１／４波長板７と組み合わせて円偏光タイプの反射防止フィルターを形成するものである。第２の１／４波長板７の前面に配置される偏光板８の吸収軸は、第２の１／４波長板７の光軸７と４５°または１３５°になるように形成される。偏光板８としては、一般に、ポリビニルアルコールフィルムにヨウ素、染料などの二色性色素を含浸せて延伸し、その両面にセルロース系またはアクリル系の保護膜を被覆したもの等が用いられる。また、偏光板８上には、低反射処理、防汚処理、梨地処理などを施すことができる。あるいは、これらの処理を施したフィルムを偏光板８上に粘着剤等を介して貼りあわせてもよい。また、前記処理はいくつかを組合せて用いてもよい。ここで、低反射処理としては、
低反射材料の塗布が挙げられる。なお、ここで低反射材料とはフッ素樹脂やシリコン樹脂等を用いたものである。
　【００１３】
　２層の透明導電膜５は、スペーサー６を介して対向してタッチパネルの電極となるものである。透明導電膜５の材料としては、酸化錫、酸化インジウム、酸化アンチモン、酸化亜鉛、酸化カドミウム、ＩＴＯ等の金属酸化物や金、銀、銅、錫、ニッケル、アルミニウム、パラジウム等の金属の薄膜が用いられる。透明導電膜５の形成方法としては、真空蒸着法、スパッタリング法、イオンプレーティング法、ＣＶＤ法等が用いられる。本発明においては、
第１の１／４波長板４と透明導電膜５との間に光学等方性のガラス板や光学等方性の樹脂フィルム、光学等方性の樹脂板等の光学等方性の透明板を介在させている。また、第１の１／４波長板４および第２の１／４波長板７の両方とも
　【００１４】
　スペーサー６は、いずれかの透明導電膜５の表面に形成されている。スペーサー６としては、透明な光硬化型樹脂をフォトプロセスで微細なドット状に形成して得ることができる。また、印刷法により微細なドットを多数形成してスペーサー６とすることもできる。また、低反射タッチパネル１の透明導電膜５を直接形成した部材間は、両面粘着テープ１０や透明粘着剤によって表示領域外のみ接着される。
　【００１５】
　本発明の特徴は、円偏光タイプの反射防止フィルターを有するタッチパネルについて、液晶ディスプレイ２表面と空気層９を介して対向させる最下面に低反射処理が施されていることにある。このような構成にすることにより、タッチパネル最下面と空気層９との界面での外部からの光の反射が抑えられるので、より視認性が良くなることにある。また、タッチパネル最下面での液晶ディスプレイ２からの透過光の反射も抑えられるので、その分タッチパネル前面より出射する液晶ディスプレイ２からの透過光の量が増える。低反射処理としては、
低反射材料の塗布が挙げられる。ただし、ここで低反射材料とはフッ素樹脂やシリコン樹脂等を用いたものである。
　【００１６】
　【００１７】
　また、以上のような構成の低反射タッチパネルにおいては、第２の１／４波長板７とその前面に配置される偏光板８との間は透明粘着剤又は透明再剥離シートによって全面的に貼り合わせなければならないが、その他の板間は両面粘着テープによって表示領域外のみを貼り合わせるだけでもよい。
　【００１８】
　【発明の効果】
　本発明の低反射タッチパネルは、以上のような構成及び作用からなるので、以下のような効果を奏する。
　【００１９】
　すなわち、
液晶ディスプレイ側から順に第１の１／４波長板、スペーサーを介して対向する２層の透明導電膜、第２の１／４波長板、偏光板を少なくとも配置してなる、円偏光タイプの反射防止フィルターを有するタッチパネルにおいて、第１の１／４波長板が透明導電膜との間に光学等方性の透明板を介在させて配置された一軸延伸された樹脂のみからなるものであって、該第１の１／４波長板の液晶ディスプレイ表面と空気層を介して対向する最下面に低反射材料を塗布する
【図面の簡単な説明】
　【図１】本発明に係る低反射タッチパネルを液晶ディスプレイ前面に配置した例を示す断面図である。
　【図２】従来技術に係る低反射タッチパネルを液晶ディスプレイ前面に配置した例を示す断面図である。
　【符号の説明】
　１　低反射タッチパネル
　２　液晶ディスプレイ
　３　低反射処理層
　４　第１の１／４波長板
　５　透明導電膜
　６　スペーサー
　７　第２の１／４波長板
　８　偏光板
　９　空気層
　１０　両面粘着テープ